(57)【要約】【課題】  施工も清掃も容易に行なえる暗渠ブロックを提供する。【解決手段】  本発明に係る暗渠ブロック１０は、道路境界ブロック２０が嵌合されるブロック本体１と、ブロック本体１の上面１１の略中央部で道路境界ブロック２０が延設される方向と平行な方向に亘って設けられ、道路境界ブロック２０が嵌合される嵌合凹部２と、嵌合凹部２の略中央部で、道路境界ブロック２０が延設される方向と平行な方向に亘って設けられる流入孔３と、流入孔３と連通され流入孔３から路面水６０が流入し、道路境界ブロック２０が延設される方向と平行な方向に亘って設けられる中空部４とを備える。【選択図】  図１
2006169813.tif 000002
【特許請求の範囲】
【請求項１】
道路境界ブロックが嵌合されるブロック本体と、
上記ブロック本体の上面の略中央部で上記道路境界ブロックが延設される方向と平行な方向に亘って設けられ、道路境界ブロックが嵌合される嵌合凹部と、
上記嵌合凹部の略中央部で、上記道路境界ブロックが延設される方向と平行な方向に亘って設けられる流入孔と、
上記流入孔と連通され上記流入孔から路面水が流入し、上記道路境界ブロックが延設される方向と平行な方向に亘って設けられる中空部とを備えることを特徴とする暗渠ブロック。
【請求項２】
上記ブロック本体の上面は、長辺端部から上記嵌合凹部が設けられた略中央部に向かって傾斜面となっていることを特徴とする請求項１記載の暗渠ブロック。
【請求項３】
上記嵌合凹部には、上記流入孔に路面水が流入されるように、底部の所定箇所の上記ブロック本体の延設される方向と直交する方向に亘って切欠部が設けられた道路境界ブロックが嵌合されることを特徴とする請求項１又は２記載の暗渠ブロック。
【請求項４】
上記嵌合凹部には、着脱自在な道路境界ブロックが嵌合されることを特徴とする請求項１乃至３記載の暗渠ブロック。
【発明の詳細な説明】
【技術分野】
【０００１】
本発明は、車道と歩道との境界に敷設される暗渠ブロックに関する。
【背景技術】
【０００２】
従来、車道と歩道との境界線上には、図４に示すように、車道１０１と歩道１０２との境界を示すとともに、車の歩道１０２側への進入を防止し歩行者を守る道路境界ブロック１０３が設置されている。また、この車道１０１と歩道１０２との道路境界ブロック１０３の車道１０１側には、暗渠ブロック１０４が道路境界ブロック１０３の延設方向に平行する方向に隣接して設けられ、この暗渠ブロック１０４の上面に設けられたグレーチング１０５を介して、車道１０１及び歩道１０２上に溜まる雨などを排水する。さらに、道路境界ブロック１０３は、歩道１０２側に溜まる雨水等をグレーチング１０５に導く貫通孔１０６が設けられている。これらの道路境界ブロック１０３及び暗渠ブロック１０４は、図４に示すように、それぞれが隣接して設置されていた。
【０００３】
しかしながら、車道１０１及び歩道１０２の舗装時には、道路境界ブロック１０３と暗渠ブロック１０４の両方が同時に敷設されているが、これらを敷設するに際し、それぞれ別々の基礎材１０３ａ、１０４ａを形成する必要があった。また、道路境界ブロック１０３と暗渠ブロック１０４の敷設される高さ位置に違いがあるため、それぞれの基礎材１０３ａ、１０４ａの施工位置の調節も必要となり、大変煩わしくコストもかかっていた。
【０００４】
また、従来の暗渠ブロックは、例えば１０ｍ間隔でしかグレーチングが設けられておらず、暗渠構造となっている排水管の内部に溜まる砂等のゴミを取り除くには、困難を要していた。
【０００５】
【特許文献１】特開２００２−２３５３６５号公報
【発明の開示】
【発明が解決しようとする課題】
【０００６】
そこで、本発明は、施工の煩わしさや施工コストを減らすことができるとともに、排水管内部に溜まる砂等のゴミを容易に取り除くことができる暗渠ブロックを提供することを目的とする。
【課題を解決するための手段】
【０００７】
本発明に係る暗渠ブロックは、道路境界ブロックが嵌合されるブロック本体と、上記ブロック本体の上面の略中央部で上記道路境界ブロックが延設される方向と平行な方向に亘って設けられ、道路境界ブロックが嵌合される嵌合凹部と、上記嵌合凹部の略中央部で、上記道路境界ブロックが延設される方向と平行な方向に亘って設けられる流入孔と、上記流入孔と連通され上記流入孔から路面水が流入し、上記道路境界ブロックが延設される方向と平行な方向に亘って設けられる中空部とを備えることを特徴とする。
【０００８】
また、上記ブロック本体の上面は、長辺端部から上記嵌合凹部が設けられた略中央部に向かって傾斜面となっているようにしてもよい。
【０００９】
また、上記嵌合凹部には、上記流入孔に路面水が流入されるように、底部の所定箇所の上記ブロック本体の延設される方向と直交する方向に亘って切欠部が設けられた道路境界ブロックが嵌合されるようにしてもよい。
【００１０】
また、上記嵌合凹部には、着脱自在な道路境界ブロックが嵌合されるようにしてもよい。
【発明の効果】
【００１１】
本発明は、ブロック本体の上面の略中央部でブロック本体が延設される方向と平行な方向に亘って設けられる、道路境界ブロックが嵌合される嵌合凹部を有しており、この嵌合凹部に道路境界ブロックが嵌合されるので、道路境界ブロック用の基礎材を必要としないため、施工の手間がかからず、コストも減らすことができる。
【００１２】
また、本発明は、嵌合凹部の略中央部で、道路境界ブロックが延設される方向と平行な方向に亘って流入孔が設けられ、この流入孔は、流入孔から路面水が流入し道路境界ブロックが延設される方向と平行な方向に亘って設けられる中空部と連通されているので、道路境界ブロックを取り外すことにより流入孔が中空部の開口部となり、流入孔を介して容易に中空部の清掃を行なうことができる。
【発明を実施するための最良の形態】
【００１３】
以下、本発明に係る暗渠ブロックを図面を参照して詳細に説明する。図１及び図２に示すように、暗渠ブロック１０は、略矩形のブロック本体１と、ブロック本体１の上面に道路境界ブロック２０が嵌合される嵌合凹部２と、嵌合凹部２の略中央部に設けられる流入孔３と、流入孔３と連通され、路面水が流入孔３を介して流入される中空部４とから構成されている。
【００１４】
暗渠ブロック１０は、図３に示すように、車道３０と歩道４０との境界上に埋設され、ブロック本体１の上面１１の嵌合凹部２に道路境界ブロック２０が嵌合され、車道３０及び歩道４０のアスファルト５０上に溜まる路面水６０を中空部４に排水する。
【００１５】
道路境界ブロック２０は、既存の道路境界ブロックであり、例えばＪＩＳ型歩車道境界ブロックである。道路境界ブロック２０は、断面が略台形状に形成された長尺なブロック体であり、一の道路境界ブロック２０の長手方向の端面２１に、他の道路境界ブロック２０の端面２２が接するように敷設される。
【００１６】
また、道路境界ブロック２０は、底面２３で長手方向の略中央部において長手方向に直交する方向に亘って切欠部２４が設けられている。切欠部２４は、車道３０側からの路面水及び歩道４０側からの路面水を中空部４に流入できる切欠部である。切欠部２４は、嵌合凹部２に道路境界ブロック２０を嵌合させたときに、ブロック本体１の上面１１よりわずかに臨むような深さに形成され、上面１１上に沿って流れてくる路面水を内部の中空部４に流入させることができる。
【００１７】
なお、切欠部２４は、上述に限らず、流入孔３を介して中空部４に路面水を排水することができるだけの大きさであればよく、その数も長手方向に複数設けるようにしてもよい。また、道路境界ブロック２０は、延設される位置においては切欠部２４を有さない道路境界ブロックであってもよい。
【００１８】
ブロック本体１は、長尺な矩形形状であり、上面１１の略中央部の長手方向に平行な方向（図１中矢印Ｘ方向）に亘って設けられる嵌合凹部２と、嵌合凹部２の略中央部で長手方向に平行な方向に亘って設けられる流入孔３と、流入孔３に連通され長手方向に平行な方向に亘って設けられる中空部４とを有する。一のブロック本体１は、他のブロック本体１とそれぞれの中空部４、４を連通させ、路面水を排水できるように接続され敷設される。ブロック本体１は、例えば、長手方向の長さが１ｍ〜１．５ｍで、幅が０．５ｍである。また、ブロック本体１の上面１１は、車道３０及び歩道４０からのそれぞれの路面水が効率よく流入孔３より中空部４に排水されるように、中央部の嵌合凹部２に向かう傾斜面１１ａが設けられている。
【００１９】
なお、ブロック本体１の大きさは、上述に限らず、施工の省力化等で１．５ｍ以上の長さのものであってもよく、また幅も、内部に設けられる中空部４の大きさに応じて増減することができる。
【００２０】
嵌合凹部２は、ブロック本体１の上面１１略中央部で、長手方向に平行な方向に亘って、道路境界ブロック２０が嵌合される大きさに設けられた凹部である。嵌合凹部２は、道路境界ブロック２０が嵌まり、容易に抜けないようにできるだけの深さがあり、例えば５ｃｍである。
【００２１】
なお、嵌合凹部２は、上述に限らず、嵌合される道路境界ブロック２０が容易に抜けないようにできるだけの深さであるとともに、切欠部２４より路面水を中空部４に排水できるだけの深さであればよい。
【００２２】
流入孔３は、嵌合凹部２の底部２ａの略中央部で、長手方向に平行な方向に亘って設けられ、中空部４に路面水を流入させることができるスリット状の孔である。また、流入孔３は、嵌合凹部２に嵌合された道路境界ブロック２０を取り外すことにより、中空部４の開口部となり、中空部４内の清掃を容易に行なうことができるような幅に形成されている。
【００２３】
中空部４は、ブロック本体１の長手方向に平行な方向に亘って設けられる断面が円形状の孔で、流入孔３を介して流入される路面水の水路となる。
【００２４】
なお、中空部４の断面は、上述に限らず、例えば路面水とともに流入する砂等のゴミが中空部４の底部に溜まりにくくするような底部がＶ字形状に形成されるようにしてもよい。
【００２５】
以上のように構成された暗渠ブロック１０は、道路境界ブロック２０とともに、車道３０と歩道４０との境界線上に敷設される。具体的には、暗渠ブロック１０は、図３に示すように、コンクリートなどによって形成された基礎材１ａ上に、暗渠ブロック１０が設置され、暗渠ブロック１０の上面１１の嵌合凹部２に道路境界ブロック２０を載置することにより施工が完了する。
【００２６】
暗渠ブロック１０は、ブロック本体１の上面１１の略中央部でブロック本体１１が延設される方向と平行な方向に亘って設けられる、道路境界ブロック２０が嵌合される嵌合凹部２を有しており、この嵌合凹部２に道路境界ブロック２０が嵌合されるので、道路境界ブロック２０用の基礎材を必要としないため、施工に手間がかからず、コストも減らすことができる。
【００２７】
また、暗渠ブロック１０は、中空部４内部の清掃を行う際、嵌合凹部２に嵌合された道路境界ブロック２０を取り外すことにより流入孔３が中空部４の開口部となり、容易に清掃することができる。
【００２８】
また、暗渠ブロック１０は、図３中の矢印Ａに示すように、車道３０及び歩道４０上に溜まる路面水６０がそれぞれの傾斜面１１ａ、１１ａを通り、切欠部２４に流入し、流入孔３を通って中空部４内に流入するので、道路境界ブロック２０を上面１１に載置させても、きちんと排水機能を果たす。
【図面の簡単な説明】
【００２９】
【図１】本発明に係る暗渠ブロックを示した斜視図である。
【図２】本発明に係る暗渠ブロックの図１のＹ−Ｙ´における断面図である。
【図３】本発明に係る暗渠ブロックの施工断面図である。
【図４】従来の暗渠ブロックの構造を説明するための斜視図である。
【符号の説明】
【００３０】
１  ブロック本体、２  嵌合凹部、３  流入孔、４  中空部、１１  上面、２０  道路境界ブロック、２１，２２  端面、３０  車道、４０  歩道、１０１  車道、１０２  歩道、１０３  道路境界ブロック、１０３ａ，１０４ａ  基礎材、１０４  暗渠ブロック、１０５  グレーチング、１０６  貫通孔
【図１】
2006169813.tif 000003
【図２】
2006169813.tif 000004
【図３】
2006169813.tif 000005
【図４】
2006169813.tif 000006